(57)【特許請求の範囲】
【請求項１】
歯科アタッチメント・アセンブリであって、
歯根、インプラント、または隣接する歯に取り付けられるような形状の第１の端部、および位置決め外表面を有する第２の端部を有するアバットメント部材と、
第１の長手方向中心軸と、外表面と、第１の端部と、この第１の端部から延びて前記アバットメント部材の前記位置決め外表面に被さり無旋回係合する内表面を画定するスカートとを有する保定部材と、
第２の長手方向中心軸と、端壁と、前記端壁から離れる方向に延び、かつ開口端を有する環状側壁と、を有し、前記端壁と前記環状側壁は、前記第１および第２の長手方向中心軸が一直線上になる無旋回位置と前記第２の長手方向中心軸が前記第１の長手方向中心軸に対して傾斜する旋回しきった位置との間で前記保定部材の前記外表面との旋回係合を形成するための空洞を画定する丸みのある凹型内表面を形成するキャップと、
を備え、
前記キャップの前記凹型内表面は、上部内表面と、前記上部内表面から垂下した側部内表面とを有し、前記上部内表面は、前記上部内表面の他の部分に対して引込み、かつ前記上部内表面の外縁部に沿った環状経路で半径方向に延びている凹型くぼみを含む、歯科アタッチメント・アセンブリ。
【請求項２】
前記凹型くぼみに囲まれ、少なくとも前記無旋回位置において前記保定部材の前記第１の端部の中心部分に接するように前記空洞内に垂直方向に突き出す、前記上部内表面の中心部分をさらに備えている、請求項１に記載の歯科アタッチメント・アセンブリ。
【請求項３】
前記凹型くぼみの湾曲が、前記側部内表面に沿って連続している、請求項１に記載の歯科アタッチメント・アセンブリ。
【請求項４】
前記側部内表面と前記凹型くぼみとは、前記側壁および前記上部内表面に沿って複数の異なる角度で湾曲している、請求項３に記載の歯科アタッチメント・アセンブリ。
【請求項５】
前記凹型くぼみと、前記側壁の前記側部内表面とは、一連の連続的な複数の接円弧で構成されている、請求項３に記載の歯科アタッチメント・アセンブリ。
【請求項６】
前記一連の連続的な複数の接円弧は、前記上部内表面から前記側壁の開口端へとサイズが大きくなる、請求項５に記載の歯科アタッチメント・アセンブリ。
【請求項７】
前記一連の連続的な複数の接円弧は、前記上部内表面から前記キャップの前記側壁の開口端へとサイズが大きくなる円で構成されている、請求項６に記載の歯科アタッチメント・アセンブリ。
【請求項８】
前記キャップの外径が５．４ミリメートル（ｍｍ）であり、前記キャップの高さが２．３ｍｍである、請求項１に記載の歯科アタッチメント・アセンブリ。
【請求項９】
前記無旋回位置と前記旋回しきった位置との間における前記保定部材に対する前記キャップの前記凹型内表面の旋回係合は、最大３０度である、請求項１に記載の歯科アタッチメント・アセンブリ。
【請求項１０】
前記保定部材は、当該保定部材の前記第１の端部から前記スカートに延びた丸みのある環状外縁部分を有し、前記丸みのある環状外縁部分の第１の部分は、 前記旋回しきった位置において前記キャップ内で前記凹型くぼみの対向する部分に係合する、請求項１に記載の歯科アタッチメント・アセンブリ。
【請求項１１】
前記キャップの丸みのある凹型内表面は、前記旋回しきった位置において前記保定部材の環状外縁部分の第２の部分に接する外端部分を有し、前記環状外縁部分の第２の部分は、前記キャップ内において前記凹型くぼみに接する前記第１の部分と前記第１の長手方向中心軸に対して反対側に位置する、請求項１０に記載の歯科アタッチメント・アセンブリ。
【発明の詳細な説明】
【技術分野】
【０００１】
本明細書に記載のデバイスまたは方法は、歯科装置を歯科インプラントなどの基部構造と一緒に固定するための歯科アタッチメント・アセンブリに関し、より詳細には、歯科装置を位置決めし保定するキャップを有するアタッチメント・アセンブリに関する。
【背景技術】
【０００２】
歯科用固定アセンブリは、歯根、インプラント、または隣接する歯に取り付けられる雌部が設けられ、雄部を歯科装置のくぼみに係合させるものが知られており、雄部と雌部は、雄部を雌部に解放可能に固着するための、対合するスナップ係合部を有している。たとえば、Ｚｕｅｓｔの米国特許第５，４１７，５７０号明細書では、雌部はソケットを有し、雄部はソケット内でスナップ係合するヘッドを有している。しかし、使用者は雄のヘッドを雌のソケット内に適切に配置することを難しいと感じるかもしれず、場合によってはヘッドがソケットの周縁部に当たってしまうこともあり得る。このような性質の衝撃が繰り返されると雄の保定ヘッドが損傷し、それによってヘッドの保定能力の一部が失われることにもなり得る。
【０００３】
その全容を参照により本明細書に援用するＺｕｅｓｔらの米国特許第６，０３０，２１９号明細書および同第６，２９９，４４７号明細書は、雄部が雌またはアバットメント部材の位置決め外表面に被さりスナップ係合するためのスカートを有する、歯科アタッチメント・アセンブリを記載している。雄部は雌部のソケット内でスナップ係合する中心ステムも有して、内外両方の保定表面を提供し、したがってさらなる保定力を提供することができる。また、雄部を雌部上で適切に位置決めしやすい。
【０００４】
その全容を参照により本明細書に援用するＺｕｅｓｔの米国特許第６，９８１，８７１号は、歯科装置内に固着されたキャップの内表面に設けられた対応する離間したスナップ係合部と対合してスナップ係合する、少なくとも２つの軸方向に離間した保定表面を有して、アバットメント部材と保定部材間の重なり合う外側保定部を提供する、位置決め外表面を記載している。
【先行技術文献】
【特許文献】
【０００５】
【特許文献１】米国特許第５，４１７，５７０号明細書
【特許文献２】米国特許第６，０３０，２１９号明細書
【特許文献３】米国特許第６，２９９，４４７号明細書
【特許文献４】米国特許第６，９８１，８７１号
【発明の概要】
【発明が解決しようとする課題】
【０００６】
しかし、歯科アタッチメント・アセンブリのコンポーネントの保定性を改良するだけではなく、これらコンポーネントの調節性を改良することも望まれている。
【課題を解決するための手段】
【０００７】
本明細書に記載の実施形態は、歯科装置をインプラントまたは他の基部構造と一緒に固定するための歯科アタッチメント・アセンブリおよび方法を提供し、歯科アタッチメント・アセンブリは、インプラントまたは基部構造に取り付けられるアバットメント部材と、アバットメント部材と解放可能にスナップ係合する保定部材と、歯科装置のくぼみに固着され、保定部材と解放可能に旋回係合して歯科装置をインプラント上に位置決めし固着するように構成されているキャップとを含んでいる。キャップは、保定部材と係合する丸みのある凹型内表面を有する空洞と、この空洞の上部内表面であってその外縁部に沿って半径方向に延びる凹型くぼみを有する上部内表面とを含んで、キャップ内で保定部材が回転するのを可能にしている。したがって、凹型くぼみに囲まれた空洞の上部内表面の中心部分は空洞内に垂直方向に突き出して、保定部材がキャップ内で回転する際の垂直方向のずれを最小限に抑えている。
【０００８】
一実施形態では、歯科アタッチメント・アセンブリのキャップは、歯科装置のくぼみと係合するような形状の外表面と、保定部材との旋回係合を受けるための空洞を画定する丸みのある凹型内表面と、空洞の上部内表面であって、その外縁部に沿って半径方向に延びる凹型くぼみを有する上部内表面とを備えている。
【０００９】
さらなる実施形態では、歯科アタッチメント・アセンブリは、歯根、インプラント、または隣接する歯に取り付けられるような形状の第１の端部、および位置決め外表面を有する第２の端部を有するアバットメント部材と、第１の端部、および第１の端部から延びてアバットメント部材の位置決め外表面に被さり係合する内表面を画定するスカートを有する保定部材と、保定部材との旋回係合を受けるための空洞を画定する丸みのある凹型内表面を有するキャップとを備え、空洞の上部内表面は、この空洞の上部内表面の縁部に沿って半径方向に延びる凹型くぼみを含んでいる。
【００１０】
当業者にとっては、以下の詳細な説明および添付の図面を読めば、本発明の他の特徴および利点がより容易に明白になろう。
【００１１】
本発明の構造および機能は、以下の詳細な説明および添付の図面を読むことで理解できる。図面では、同様の部品には同様の参照符号を付した。
【図面の簡単な説明】
【００１２】
【図１Ａ】本発明の一実施形態による歯科アタッチメント・アセンブリの切欠き側面図である。
【図１Ｂ】本発明の一実施形態による歯科アタッチメント・アセンブリのキャップの等角図である。
【図１Ｃ】本発明の一実施形態による歯科アタッチメント・アセンブリのキャップの切欠き等角図である。
【図２】本発明の一実施形態による歯科アタッチメント・アセンブリのキャップおよび保定部材の切欠き側面図である。
【図３】本発明の一実施形態による、キャップの内壁に凹型くぼみの角度を生成するのに使用される連続的な複数の接円弧（ｔａｎｇｅｎｔ  ｃｉｒｃｌｅ  ａｒｃｓ）を説明するキャップの切欠き側面図である。
【図４】本発明の一実施形態による、凹型くぼみの角度を説明する、キャップの切欠き側面図である。
【図５】本発明の一実施形態による、旋回しきった位置の歯科アタッチメント・アセンブリの切欠き側面図である。
【図６】本発明の一実施形態による、無旋回位置から旋回しきった位置へと順次旋回していく保定部材を説明する切欠き側面図である。
【図７】本発明の一実施形態による、旋回しきった位置の歯科アタッチメント・アセンブリの側面図である。
【図８】本発明の一実施形態による、キャップ、および保定部材の代替の設計、およびアバットメントの代替の設計を説明する切欠き側面図である。
【図９】本発明の一実施形態による、キャップ、および保定部材の代替の設計、およびアバットメントを説明する切欠き側面図である。
【図１０Ａ】本発明の一実施形態による、保定部材の２つの構成（図１０Ａと図１０Ｂ）の各外表面を画定する円の直径を隣どうしで比較する図である。
【図１０Ｂ】本発明の一実施形態による、保定部材の２つの構成（図１０Ａと図１０Ｂ）の各外表面を画定する円の直径を隣どうしで比較する図である。
【図１１】本発明の一実施形態による歯科アタッチメント・アセンブリのサイズが異なる構成の切欠き側面図である。
【図１２】本発明の一実施形態による、旋回しきった位置にある歯科アタッチメント・アセンブリのサイズが異なる構成の側面図である。
【図１３】本発明の一実施形態による、歯科装置を患者の口内に固定する過程の一例を説明する流れ図である。
【図１４】本発明の一実施形態による、歯科装置を患者の口内に固定した後の歯科アタッチメント・アセンブリの側面図である。
【図１５】本発明の一実施形態による、キャップと保定部材とを歯科アタッチメント・アセンブリのアバットメントに固定する過程を説明する側面図である。
【発明を実施するための形態】
【００１３】
本明細書に記載のある実施形態は、歯科装置をインプラントまたは他の基部構造と一緒に固定するための歯科アタッチメント・アセンブリおよび方法を提供し、歯科アタッチメント・アセンブリは、インプラントまたは基部構造に取り付けられるアバットメント部材と、アバットメント部材と解放可能にスナップ係合する保定部材と、歯科装置のくぼみに固着され、保定部材と解放可能に旋回係合して歯科装置をインプラント上に位置決めし固着するように構成されているキャップとを含んでいる。キャップは、保定部材と係合する丸みのある凹型内表面を有する空洞と、この空洞の上部内表面であってその外縁部に沿って半径方向に延びる凹型くぼみを有する上部内表面とを含んで、キャップ内で保定部材が旋回することを可能にしている。したがって、凹型くぼみに囲まれた空洞の上部内表面の中心部分は空洞内に垂直方向に突き出して、保定部材がキャップ内で回転する際の垂直方向のずれを最小限に抑えている。
【００１４】
当業者にとっては、本明細書を読めば、本発明をさまざまな代替実施形態および代替用途にいかにして組み込むかが明白になろう。しかし、以下に本発明のさまざまな実施形態を記載するが、それら実施形態は単なる例であり限定的なものではない。したがって、このさまざまな代替実施形態の詳細な説明は、添付の請求項で記述する本発明の範囲や広さを限定するものと解釈すべきではない。
【００１５】
本発明に記載の歯科アタッチメント・アセンブリは、歯科アタッチメント・アセンブリがインプラント上に配置されるときに該アセンブリの融通性（ｆｌｅｘｉｂｉｌｉｔｙ）および動きを大きくすることで、歯科装置をインプラントなどの基部構造に取り付ける過程を簡略化する。空洞の上部内表面の外縁部に沿って半径方向に延びる凹型くぼみを作ることで、保定要素はキャップ内でより大きい角度で回転または旋回することが可能になり、それによって、保定要素の垂直方向のずれを制限しながらも、アセンブリがアバットメントに嵌まることができる許容可能な角度補正が増加する。多くの解剖学的条件によってインプラントのさまざまな配置角度が決められるが、現行のプロテーゼの選択肢の角度補正能力ではこれに対応しきれない。この改良されたキャップおよびアセンブリは、歯科装置を患者の口内で位置決めし調節する場合に非常に使いやすい。
【００１６】
Ａ．歯科アタッチメント・アセンブリ
図１Ａは、骨、または歯や歯根などの他の基部構造（図示せず）に固定され得るインプラント１０２と一緒に取り付けられた歯科アタッチメント・アセンブリ１００の一実施形態を説明している。歯科アタッチメント・アセンブリ１００のアバットメント１０４がインプラント１０２の一端に取り付けられて、アバットメント１０４はインプラント１０２を典型的に囲む組織の上方に見えている。次いで保定部材１０６が、解放可能なスナップ係合または後述する他の保定手段により、アバットメント１０４の上部に接続される。次に、空洞を画定する丸みのある凹型内表面を有するキャップ１０８が、保定部材１０６に旋回係合して嵌められて、キャップ１０８が保定部材１０６およびアバットメント１０４に対して旋回することが可能になる。キャップ１０８は（図１４および図１５に示すように）歯科装置のくぼみ内に固着され、したがってキャップ１０８は、歯科装置がアバットメントに嵌まっているときにアバットメント１０４と係合する保定部材１０６を保定する。キャップ１０８と保定部材１０６との係合は、キャップ１０８と、よって歯科装置とが、保定部材１０６、アバットメント１０４、およびインプラント１０２に対して旋回するのを許容する、旋回接合部を画定する。
【００１７】
図１Ａに示すように、また図１Ｂおよび図１Ｃの等角図にさらに明白に示すように、一実施形態では、キャップ１０８の空洞の上部内表面は、この上部内表面の外縁部に沿って半径方向に延びる凹型くぼみ１１０を有する構成になっている。凹型くぼみ１１０はキャップ１０８が保定部材１０６およびアバットメント１０４に対してより大きい角度で旋回するのを可能にするので、歯科装置をアバットメント１０４に固着しやすくなる。キャップ１０８の上部内表面の中心部分１１２はキャップの空洞内に垂直方向に突出し、この中心部分１１２がなければ生じているであろう保定部材１０６とキャップ１０８との間の垂直方向のずれを最小限化している。この例示的実施形態では、キャップの高さはおよそ１．９ミリメートルであるが、当業者であればキャップの寸法を変えることができることを理解しよう。
【００１８】
図１Ａに説明する実施形態では、保定部材１０６は、その全容を参照により本明細書に援用する米国特許第６，９８１，８７１号に開示されているように、キャップ１０８の一端から突き出して保定部材１０６をキャップ１０８に解放可能に係合するスカート（または側壁）によって保定されている。アバットメント１０４の位置決め外表面は、少なくとも２つの軸方向に離間した保定表面を有し、これらが保定部材１０６の内表面の対応する離間したスナップ係合部と対合してスナップ係合して、アバットメント１０４と保定部材１０６との間の重なり合う外側保定部を提供している。
【００１９】
Ｂ．キャップの設計
図２は、キャップ１０８および無旋回位置の保定部材１０６の切欠き側面図であり、旋回が生じていないときに保定部材１０６がどのようにキャップ１０８の空洞内に嵌まっているかをさらに明白に説明している。保定部材１０６はキャップ１０８の上部内表面の中心部分１１２と接触している。保定部材１０６の外側壁は、キャップ１０８の内側壁の湾曲した表面に沿うように概ね湾曲しており、これら側壁のどこか一か所で一部分が直接接して、過剰な摩擦なく容易に旋回できるようにされ得る。
【００２０】
一実施形態では、凹型くぼみ１１０は、湾曲１１４のある特別設計であり、この湾曲１１４は、図３および図４に説明するように、半径が異なる複数の円から形成される一連の連続的な複数の接円弧を用いて形成され得る。本明細書で説明される実施形態では、円Ａ、円Ｂ、および円Ｃは、湾曲１１４を導出するのに使用される接円弧の部分を表しているが、どのような複数の円を使用してもよい。円Ａ、円Ｂ、および円Ｃは、直径が大きい方から小さい方へと、キャップの下部１０８Ｂからキャップの上部１０８Ａまで配置されて、湾曲１１４のさまざまな角度を形成している。図５に説明するように、湾曲１１４は、保定部材１０６のキャップ１０８内での係合を維持しながら、キャップ１０８が保定部材１０６の周りを旋回するのを最適化するように設計されている。キャップの内側壁に沿って下から上へ、直径が大きい方から小さい方へと配列されるかぎり、各円の異なる直径を用いてもよい。図３の例示的実施形態では、凹型くぼみ１１０は、それぞれ直径０．０６７インチ、０．０８３インチ、０．１８６インチの円Ａ、円Ｂ、および円Ｃで形成されている。円Ｃは、キャップの反対側の凹型くぼみ１１０と交差する直径を有するので、キャップの空洞の直径を定めることになる。各円の各湾曲は、凹型くぼみ１１０の別々の部分と交差して、図４に示すように湾曲の角度が異なる湾曲表面１１４を形成している。この実施形態では、湾曲１１４は、湾曲の異なる点における半径値が、上述の例の直径に対応する、それぞれ０．３４インチ、０．４２インチ、０．９３インチの円で形成されている。
【００２１】
図５は、キャップ１０８内で旋回しきった位置にある保定部材１０６とアバットメント１０４の一実施形態を説明しており、保定部材１０６の一部分がキャップ１０８の凹型くぼみ１１０内へと旋回している。保定部材１０６の反対側は、キャップ１０８内に保持されたままで下方に旋回しており、キャップ１０８の一方向の完全な旋回範囲を説明している。この実施形態では、旋回Ｓの範囲はおよそ３０度であり、ここでキャップの直径Ｄはおよそ５．４ミリメートル（ｍｍ）であり高さＨはおよそ２．３ｍｍであるが、当業者であればこれらの寸法を変えることが可能であり、それでもなお同程度の回転が得られることを理解するであろう。回転範囲は、無理なくおよそ３２度にまで拡大することができるが、キャップ、保定部材、およびアバットメントの寸法を変えて、たとえばキャップの高さを増大しアバットメントの直径を小さくすることにより、より大きい回転を可能にすれば、およそ４０度にまで拡大することも可能である。
【００２２】
図６は、保定部材１０６が無旋回位置から旋回しきった位置へと旋回を開始している、キャップ１０８と保定部材１０６の一連の図を説明しており、図７は、旋回しきった位置にある完全な歯科アタッチメント・アセンブリの側面図を説明している。キャップ１０８が歯科装置のくぼみに挿入されているので、旋回量は、歯科装置がアセンブリに取り付けられると歯科装置の旋回量ということになり、歯科医や患者が歯科装置をアバットメントに取り付ける際に非常に高い融通性を許容する。
【００２３】
Ｃ．代替アセンブリ
図８は、アバットメント１０４と保定部材１０６Ｂとを有する歯科アタッチメント・アセンブリの代替実施形態を説明しており、アバットメント１０４と保定部材１０６Ｂとは、アバットメント１０４の外表面と保定部材１０６Ｂの内表面とのスナップ係合により互いに係合している。この実施形態では、キャップ１０８は半径方向の凹型くぼみ１１０を保持しているが、アバットメント１０４はその外側部分に１つだけ保定表面を有して、対応する保定部材１０６Ｂの環状凹部と対合している。したがって、保定機構は違っていても、キャップ１０８は、保定部材１０６Ｂおよびアバットメント１０４にさらなる回転の融通性を与えている。
【００２４】
図９は別の代替実施形態を説明しており、アバットメント１０４には軸方向に離間した保定表面が設けられているが、保定部材１０６Ｂには対応する環状溝が構成されていない。それでもなお、保定部材１０６Ｂはアバットメント１０４を保定し、キャップ１０８の凹型くぼみ１１０内でいっぱいに回転することができる。
【００２５】
図１０Ａは、アバットメントを保定する環状溝のない保定部材１０６Ｂの湾曲外表面１１８の湾曲の設計を説明しており、図１０Ｂは、アバットメントを保定する環状溝のある保定部材１０６の湾曲外表面１２０の湾曲の設計を説明している。図示の寸法は、保定部材がキャップ内で旋回するように、さまざまな幾何学的構成を設計できることを示している。設計は、保定部材がキャップ内で摩擦なしに動くことができるように最適化することもできるし、わずかな抵抗はあるがなおもキャップ内での旋回が可能なように設計することもできる。図１０Ａでは、保定部材１０６Ｂの湾曲外表面１１８は、直径０．０６０インチの円Ｅ、および直径０．１８７インチの円Ｆで構成されている。図１０Ｂでは、保定部材１０６の湾曲外表面１２０は、直径およそ０．０４０インチの円Ｇ、直径およそ０．０７４インチの円Ｈ、および直径およそ０．１８６インチの円Ｉで構成されている。このわずかな寸法差は、どちらの保定部材の構成も、キャップ内に嵌まって、凹型くぼみ１１０によりもたらされる同程度の旋回ができることを説明している。
【００２６】
図１１は、図１Ａおよび図５に説明する実施形態よりも小さいサイズの歯科アタッチメント・アセンブリ１００を説明している。サイズは小さいが、旋回Ｓの角度はなおもおよそ３０度であり、サイズが大きいアセンブリが使えないような口内の異なる場所で使用するために、同じ特性を有しながらもサイズは異なるアタッチメント・アセンブリを作製することができることを示している。図１２は、旋回しきった位置の、より小さい歯科アタッチメント・アセンブリ１００の側面図を説明している。
【００２７】
Ｄ．使用方法
図１３は、本明細書に記載の歯科アタッチメント・アセンブリを用いて歯科装置をインプラントに取り付ける方法の一実施形態を説明している。第１のステップ１３０２で、アバットメントがインプラントまたは歯科装置を支える他の歯根構造に固着される。次に、旋回しない保定部材をキャップに挿入（ステップ１３０４）してから、ステップ１３０６で、このアセンブリをアバットメントに取り付ける。ステップ１３０８で、歯科装置に、旋回しない保定部材とキャップとのアセンブリを受ける適切な位置にくぼみを設けて取り付け準備をし、ステップ１３１０で、キャップを歯科装置のくぼみ内に接着する。ステップ１３１２で、旋回しない保定部材をキャップから取り外し、旋回する保定部材をキャップに挿入する。ステップ１３１２で、保定部材をアバットメントにスナップ係合させることで、歯科装置をアバットメントに係合させることができ、キャップと保定部材との間の旋回接合部を利用して、またさらにキャップ内の凹型くぼみによって助けられて、旋回または回転させて所定位置に合わせることができる。
【００２８】
図１４は、患者口内１２２でインプラント１０２と一緒に取り付けられたアバットメント１０４に、キャップ１０８を有する歯科装置１２０を固着した後の、歯科アタッチメント・アセンブリの側面図である。図１５は、歯科装置１２０をキャップ１０８および保定部材１０６に取り付け、次いでこの歯科装置アセンブリをアバットメント１０４およびインプラント１０２に嵌める方法を説明する側面図である。
【００２９】
歯科アタッチメント・アセンブリの複数の構成と併せてキャップに凹型くぼみを与えることによって、どのような歯科アタッチメント・アセンブリでも、歯科装置をインプラントに取り付ける際のさらなる許容可能な角度補正が可能になり、取り付け過程が簡略化され、高角度位置からの使用に伴う位置ずれや摩耗によるコンポーネント部品の破損のリスクを低減することができる。
【００３０】
開示の実施形態についての上記記載は、当業者であればだれでも本発明を作製または使用できるように提供するものである。これらの実施形態のさまざまな変更形態は当業者には容易に明白になり、本明細書に記載の一般的な原理は本発明の精神または範囲を逸脱することなく他の実施形態にも応用可能である。したがって、本明細書および図面は、本発明の目下好ましい実施形態を代表するものであり、したがって本発明によって広く意図される主題の代表として理解すべきである。さらに、本発明の範囲は、当業者にとって明白になり得る他の各実施形態をも広く包含するものであり、したがって本発明の範囲は限定されるものではないことが理解される。
【図１Ａ】
0006290446.tif 000002
【図１Ｂ】
0006290446.tif 000003
【図１Ｃ】
0006290446.tif 000004
【図２】
0006290446.tif 000005
【図３】
0006290446.tif 000006
【図４】
0006290446.tif 000007
【図５】
0006290446.tif 000008
【図６】
0006290446.tif 000009
【図７】
0006290446.tif 000010
【図８】
0006290446.tif 000011
【図９】
0006290446.tif 000012
【図１０Ａ】
0006290446.tif 000013
【図１０Ｂ】
0006290446.tif 000014
【図１１】
0006290446.tif 000015
【図１２】
0006290446.tif 000016
【図１３】
0006290446.tif 000017
【図１４】
0006290446.tif 000018
【図１５】
0006290446.tif 000019